【手続補正書】
【提出日】平成19年2月15日(2007.2.15)
【手続補正１】
【補正対象書類名】特許請求の範囲
【補正対象項目名】全文
【補正方法】変更
【補正の内容】
【特許請求の範囲】
【請求項１】
像担持体と、
前記像担持体と対向して現像剤を担持搬送する現像剤担持体を具備し、前記像担持体と前記現像剤担持体との間に振動電界を形成して、前記現像剤担持体から前記像担持体へと現像剤を供給する現像手段と、
を有する画像形成装置において、
前記像担持体の表面移動速度に応じて、前記振動電界の、前記現像剤担持体から前記像担持体側へ現像剤を供給する飛ばし側の電界を変更することを特徴とする画像形成装置。
【請求項２】
前記像担持体の表面移動速度に応じて、前記現像剤担持体に印加する現像バイアスの、交流成分の振幅、重畳する直流成分の値、前記飛ばし側の電圧の割合、及び交流成分の波形の少なくとも１つを変更することを特徴とする請求項１の画像形成装置。
【請求項３】
更に、前記像担持体の表面移動速度に応じて、前記現像バイアスの交流成分の周波数を変更することを特徴とする請求項２の画像形成装置。
【請求項４】
前記振動電界は、振動電界を形成する部分と振動電界を形成していない部分とを交互に有することを特徴とする請求項１、２又は３の画像形成装置。
【請求項５】
振動電界を形成する部分の時間をＰ、振動電界を形成していない部分の時間をＢとしたとき、Ｐ／（Ｐ＋Ｂ）の値を前記像担持体の表面移動速度に応じて変更することを特徴とする請求項４の画像形成装置。
【請求項６】
振動電界を形成する部分の時間をＰ、振動電界を形成していない部分の時間をＢとしたとき、前記像担持体の表面移動速度が上がった場合はＰ／（Ｐ＋Ｂ）の値を大きくし、前記像担持体の表面移動速度が下がった場合はＰ／（Ｐ＋Ｂ）の値を小さくすることを特徴とする請求項５の画像形成装置。
【請求項７】
像担持体と、
前記像担持体と対向して現像剤を担持搬送する現像剤担持体を具備し、前記像担持体と前記現像剤担持体との間に振動電界を形成して、前記現像剤担持体から前記像担持体へと現像剤を供給する現像手段と、
を有する画像形成装置において、
前記現像剤担持体の表面移動速度に応じて、前記振動電界の、前記現像剤担持体から前記像担持体側へ現像剤を供給する飛ばし側の電界を変更することを特徴とする画像形成装置。
【請求項８】
前記現像剤担持体の表面移動速度の変化により、前記現像剤担持体の前記像担持体に対する周速度差が変化することを特徴とする請求項７の画像形成装置。
【請求項９】
前記現像剤担持体の表面移動速度に応じて、前記現像剤担持体に印加する現像バイアスの、交流成分の振幅、重畳する直流成分の値、前記飛ばし側の電圧の割合、及び交流成分の波形の少なくとも１つを変更することを特徴とする請求項７又は８の画像形成装置。
【請求項１０】
更に、前記現像剤担持体の表面移動速度に応じて、前記現像バイアスの交流成分の周波数を変更することを特徴とする請求項９の画像形成装置。
【請求項１１】
前記振動電界は、振動電界を形成する部分と振動電界を形成していない部分とを交互に有することを特徴とする請求項７〜１０のいずれかの項に記載の画像形成装置。
【請求項１２】
振動電界を形成する部分の時間をＰ、振動電界を形成していない部分の時間をＢとしたとき、Ｐ／（Ｐ＋Ｂ）の値を前記現像剤担持体の表面移動速度に応じて変更することを特徴とする請求項１１の画像形成装置。
【請求項１３】
振動電界を形成する部分の時間をＰ、振動電界を形成していない部分の時間をＢとしたとき、前記現像剤担持体の表面移動速度が上がった場合はＰ／（Ｐ＋Ｂ）の値を大きくし、前記現像剤担持体の表面移動速度が下がった場合はＰ／（Ｐ＋Ｂ）の値を小さくすることを特徴とする請求項１２の画像形成装置。
【請求項１４】
像担持体と、
前記像担持体と対向して現像剤を担持搬送する現像剤担持体を具備し、前記像担持体と前記現像剤担持体との間に、振動電界を形成する部分と振動電界を形成していない部分とを交互に有する振動電界を形成して、前記現像剤担持体上から前記像担持体上へと現像剤を供給する現像手段と、
前記像担持体又は前記現像剤担持体の表面移動速度を変更する変更手段と、
を有する画像形成装置において、
前記変更手段の動作に応じて、前記振動電界の、前記現像剤担持体から前記像担持体へ現像剤を供給する飛ばし側の電界を切り換えることを特徴とした画像形成装置。
【請求項１５】
振動電界を形成する部分の時間をＰ、振動電界を形成していない部分の時間をＢとしたとき、Ｐ／（Ｐ＋Ｂ）の値を、前記変更手段の動作に応じて変更することを特徴とする請求項１４の画像形成装置。
【請求項１６】
振動電界を形成する部分の時間をＰ、振動電界を形成していない部分の時間をＢとしたとき、前記変更手段の動作により前記像担持体又は前記現像剤担持体の表面移動速度が上がった場合はＰ／（Ｐ＋Ｂ）の値を大きくし、前記像担持体又は前記現像剤担持体の表面移動速度が下がった場合はＰ／（Ｐ＋Ｂ）の値を小さくすることを特徴とする請求項１５の画像形成装置。
【請求項１７】
前記現像剤担持体は前記像担持体に対し所定の間隔をおいて対向配置されることを特徴とする請求項１〜１６のいずれかの項に記載の画像形成装置。
【請求項１８】
前記現像剤は、非磁性一成分現像剤であることを特徴とする請求項１〜１７のいずれかの項に記載の画像形成装置。
【手続補正２】
【補正対象書類名】明細書
【補正対象項目名】００１１
【補正方法】変更
【補正の内容】
【００１１】
斯かる構成の画像形成装置２００において、前述したように、記録材Ｑが厚紙（一般的に秤量１００ｇ／ｍ2以上の高画質専用用紙）である場合などに、定着装置２０６を通過する記録材Ｑの速度を落として定着性を高めることが行われる。その際、画像形成装置２００の小型化などのために、転写部Ｍと定着装置２０６との間の距離は、記録材Ｑの搬送方向長さよりも短くなっていることが多く、定着装置２０６に記録材Ｑの先端部が侵入し始めるとき、記録材Ｑの後端部は現像動作を行っている。そのため、感光ドラム２０１及び現像ローラ２１１などの回転速度も、定着装置２０６を通過する記録材Ｑの速度に追従して落とす（以下「高画質モード」という。）。
【手続補正３】
【補正対象書類名】明細書
【補正対象項目名】００３１
【補正方法】変更
【補正の内容】
【００３１】
又、第３の本発明によれば、像担持体と；前記像担持体と対向して現像剤を担持搬送する現像剤担持体を具備し、前記像担持体と前記現像剤担持体との間に、振動電界を形成する部分と振動電界を形成していない部分とを交互に有する振動電界を形成して、前記現像剤担持体上から前記像担持体上へと現像剤を供給する現像手段と；前記像担持体又は前記現像剤担持体の表面移動速度を変更する変更手段と；を有する画像形成装置において、前記変更手段の動作に応じて、前記振動電界の、前記現像剤担持体から前記像担持体へ現像剤を供給する飛ばし側の電界を切り換えることを特徴とした画像形成装置が提供される。
【手続補正４】
【補正対象書類名】明細書
【補正対象項目名】００４１
【補正方法】変更
【補正の内容】
【００４１】
又、転写帯電器４で転写されずに残った感光ドラム１上のトナーＴは、クリーニング手段として、クリーニングブレードなどを備えるクリーニング装置５にて除去され、感光ドラム１は次の画像形成プロセスに供される。
【手続補正５】
【補正対象書類名】明細書
【補正対象項目名】００４５
【補正方法】変更
【補正の内容】
【００４５】
感光ドラム１との対向部において容器１６は一部開口しており、この開口部の長手方向略全域にわたり、容器１６外に一部露出するようにして、現像ローラ１１が回転可能に設けられている。本実施例では、現像ローラ１１は、図中矢印方向、即ち、感光ドラム１と現像ローラ１１との対向部（現像領域）Ｎにおいて各表面移動方向が同方向となるように回転する。
【手続補正６】
【補正対象書類名】明細書
【補正対象項目名】００５１
【補正方法】変更
【補正の内容】
【００５１】
斯かる構成の現像装置１０において、所望の帯電量と所望の層厚で現像ローラ１１の表面に付着して現像領域Ｎに搬送されてきたトナーＴは、電圧印加手段としての現像バイアス電源１８から印加される現像バイアスによって現像ローラ１１と感光ドラム１との間で往復運動を行う。これにより、感光ドラム表面に形成された静電像に応じて、トナーＴが現像ローラ１１から感光ドラム１上へと転移し、該静電像をトナー像として可視化する。
【手続補正７】
【補正対象書類名】明細書
【補正対象項目名】０１２６
【補正方法】変更
【補正の内容】
【０１２６】
例えば、図１５は、像形成手段として、それぞれ像担持体として感光ドラム１ａ、１ｂ、１ｃ、１ｄを備え、イエロー、マゼンタ、シアン、ブラックの各色のトナー像を形成する複数の画像形成部Ｐａ、Ｐｂ、Ｐｃ、Ｐｄを備え、各感光ドラム１ａ〜１ｄ上に形成したトナー像を、各一次転写部ｔ１にて、一次転写手段としての一次転写ローラ４の作用により中間転写体としての中間転写ベルト８１に順次重ね合わせて一次転写する。次いで、このトナー像を、二次転写部ｔ２において、二次転写手段としての二次転写ローラ９の作用により記録材Ｑに一括して二次転写する。図１５中、図１の画像形成装置１００と実質的に同一若しくは相当する機能、構成を有す要素には同一符号を付している。又、各画像形成部Ｐａ〜Ｐｄに共通して設けられる実質的に同一若しくは相当する機能、構成を有する要素には、それぞれの画像形成部Ｐａ〜Ｐｄに属する要素であることを示すように、添え字ａ〜ｄを与えている。
【手続補正８】
【補正対象書類名】明細書
【補正対象項目名】０１３０
【補正方法】変更
【補正の内容】
【０１３０】
【図１】本発明に係る画像形成装置の一実施例の概略構成図である。
【図２】本発明に係る画像形成装置の一実施例の概略制御ブロック図である。
【図３】感光ドラムと現像ローラとの間に形成される振動電界を説明するための説明図である。
【図４】本発明の効果を示すグラフ図である。
【図５】本発明の効果を示すグラフ図である。
【図６】ブランクパルスバイアスを説明するための模式図である。
【図７】本発明に従う現像バイアスの波形変化を説明するための模式図である。
【図８】掃き寄せ現象を説明するための模式図である。
【図９】掃き寄せの数値化を説明するためのグラフ図である。
【図１０】本発明の効果を示すグラフ図である。
【図１１】本発明の効果を示すグラフ図である。
【図１２】本発明の効果を示すグラフ図である。
【図１３】本発明の効果を示すグラフ図である。
【図１４】本発明の効果を示すグラフ図である。
【図１５】本発明を適用し得る画像形成装置の他の例の概略構成図である。
【図１６】本発明を適用し得る画像形成装置の他の例の要部概略構成図である。
【図１７】本発明を適用し得る画像形成装置の他の例の要部概略構成図である。
【図１８】従来の画像形成装置を説明するための画像形成装置の一例の要部概略構成図である。
【図１９】感光ドラムの回転速度による画像濃度の変化現象を説明するためのグラフ図である。
【図２０】掃き寄せ現象を説明するための模式図である。
【図２１】感光ドラムの回転速度による掃き寄せ値の変化現象を説明するためのグラフ図である。